(57)【特許請求の範囲】
【請求項１】
壁の開口内に適合する本体と、
少なくとも１つの電気ブロックを、対応する組立面と連携し、組立手段を用いて取外し可能に支持するソケットと、
を備え、
本体と電気ブロックは、押し方向（Ｘ１）に沿って共に作動する可動部材を有する電気制御あるいは信号送信装置において、
電気ブロック（３０）とソケット（２０）の一方は、対応する組立面（３２、２７）の一端に堅固なほぞ（４０）を有し、他方は所定位置へ共に作動して所定位置にブロックを保持する補足成形保持肩部（２３）を有し、
ソケットに対する組立面（３２）の対向する端部において、電気ブロック（３０）は、ソケット内に形成されたラッチハウジング（２５）と協働するように弾性手段（５３）により作動される可動フック（５０）を有しており、
堅固なほぞ（４０）の自由端（４０ａ）と電気ブロックの組立面（３２）に設けられた可動フック（５０）の自由端（５０ａ）は、前記組立面に平行な同じ方向に方向付けられている
ことを特徴とする制御あるいは信号送信装置。
【請求項２】
電気ブロック（３０）とソケット（２０）とは、それらの対応する組立面（２７、３２）に、ブロックがソケットに対してそれらの組立面（２７、３２）に平行に摺動することを防止するために特別に成形された部材（２７ａ、３２ａ）を有していることを特徴とする請求項１に記載の装置。
【請求項３】
フック（５０）は、金属製であることを特徴とする請求項１に記載の装置。
【請求項４】
フック（５０）は、電気ブロックの大側面（３８，３９）に略平行な２つの取付フランジ（５５、５６）を有するＵ型であることを特徴とする請求項１に記載の装置。
【請求項５】
フックのフランジ（５５、５６）は、電気ブロックを所定位置に保持することに貢献するようにソケット（２０）に特有の案内壁（２９）と協働することを特徴とする請求項３に記載の装置。
【請求項６】
フック（５０）は、組立面（３２）に平行に移動可能であり、平らな案内ロッド（５４ａ）によってブロックの内側方向に延びブロック内のスリット（６０）と協働し所定位置に戻りバネ（５３）を保持するウェブ（５４）を有していることを特徴とする請求項４に記載の装置。
【請求項７】
電気ブロック（３０）は、その組立面（３２）の反対側に接続面（３３）を有しており、この接続の面は、下のブロックのフック（５０）のための少なくとも１つのラッチハウジング（７１）と、下のブロックの堅固なほぞ（４０）を位置決めして保持するための保持肩部（７０）を有していることを特徴とする請求項１に記載の装置。
【請求項８】
電気ブロックの組立面（３２）に設けられた肩部（７０）は、ブロックの接続のための開口（３４ａ）内に形成されたことを特徴とする請求項７に記載の装置。
【請求項９】
ソケット（２０）は、電気ブロックの大側面（３８，３９）と堅固なほぞ（４０）の側で協働する案内側部板（２８ａ）と、堅固なほぞの側面と協調して作動する案内壁（２８ｂ）と、を有することを特徴とする請求項１に記載の装置。
【発明の詳細な説明】
本発明は押ボタン組立体のような制御あるいは信号送信装置に関している。
このタイプの装置は、まず第１に、例えばパネルや机などの支持壁の開口内に適合する本体と、第２には電気ブロック、特に接点ブロックが、対応する組立面と連携し、しばしば係合部材からなる組立手段を用いて、取外し可能に載置されるソケットとを有している。
このタイプの公知の装置は、要求される組立の強度を常に有するとは限らず、それらの装置を改良して、組立てる者がソケットの下方に接点ブロックを容易に係合して固定できるようにすることが望まれている。同様に、先のブロックの下方に十分な強度をもって別の接点ブロックを容易に積重ねることができることが望ましい。
本発明の目的は、組立てる者が、電気制御あるいは信号送信装置のソケットの下方に接点ブロックを組立てることを容易にすることと、そのようにして得られた組立体が十分な強度を有するようにすることである。
本発明によれば：
−電気ブロックとソケットとは、対応する組立面の一端に設けられた堅固なほぞと、所定位置へ共に作動して所定位置にブロックを保持する補足成形保持肩部と、を有しており、
−ソケットに対する組立面の対向する端部において、ブロックは、ソケット内に形成されたラッチハウジングと協働して、組立面に平行な弾性手段により作動されるフックを有している。
フックは、有利には、Ｕ型の金属部材からなり、そのリブは電気ブロックの主たる側壁と略一直線状である。さらに、堅固なほぞとフックとを同じ方向に方向付けることが有用である。このことは、ブロックの大きさを減少させ、組立をより容易にする。一方、協働する形状を有する部材が、装置の支持壁に垂直な力が電気ブロックに働いた時にブロックがソケットに対して摺動することを防止するために、有利には組立面上に設けられる。
本発明の実施例の以下の記述は、添付の図面に関連しており、本発明の利点と結果とを説明するものである。
図１は、本発明による押ボタン組立体の断面正面図である。
図２は、ソケットを介して図１による組立体に組立てられる２つの接点ブロックの積重ねを示す底面側斜視図である。
図３は、図２の積重ねのIII−III面方向の部分拡大断面図である。
図４は、図２の積重ねの、Ｆ方向の部分拡大図である。
図５は、接点ブロックの詳細部を示す拡大斜視図である。
図６は、図１の詳細部を示す拡大図である。
各図に示された電気的な制御あるいは信号送信装置は、頭部１１と適合する本体１０と、中央線Ｘ１を有し頭部の幅より小径な管状体１２と、を備えている。この部分は、薄い支持壁１３の外側面１３ａ上に、図示されないシールやラベルと共に取付けられ得る。薄い支持壁１３は、例えば金属製の壁であり、机やキャビネットなどのような囲い体に属している。壁１３は、Ｘ１に垂直な平面Ｓに沿って方向付けられ、開口１３ｂを有しており、開口１３ｂには押ボタンの管状体１２が所定のクリアランスをもって適合している。この部分は、例えば押ボタンロッドの可動部材を含む。
ソケット２０は、一般には多角形形状、好ましくは長方形形状であり、スイッチ接点ブロックや指示発光ブロックや補助ブロックのような取外し可能電気ブロック３０を取外し可能に支持するために、壁１３の背面すなわち壁１３の内側面１３ｃの側で押ボタンと結合されている。ソケットは管状体１２上に載置され、共に例えば連結や係合によって適合する成形部材によってそれに取付けられており、ソケットが方向Ｘ１に沿って抜出されることを防止している。ソケット２０は、中央開口２１を有しており（図２参照）、押ボタンの管状体１２の自由な通過を可能としている。そしてそれはまた、図示されない制御ネジによって作動されるラッチスライダ２２によって、壁１３の内側面１３ｃと接触する所定位置に保持されている。押ボタンの部材１４は、Ｘ１方向に沿って可動であり、電気ブロックに特有の作動ピンと協働する。
接点ブロック３０は、ソケットに面する側で、ソケットに対して組付ける面３２と共に絶縁金属で製造されたプリズムハウジング３１を有しており、そこから作動ピン３１ａが突出している。反対側では、ハウジングは接続面３３を有している。この面は、電線導体のためのネジや他の接続部材３５への、この面３３内に形成された開口３４ａ，３４ｂを通っての手段の接近のためにある。導体は、ハウジングの小側面３７ａ，３７ｂ内に形成された開口３６ａ，３６ｂを通って側部に挿入され得る。最後に、それは、大きな平面状の側面３８，３９を有している。
ソケット２０は、金属あるいはプラスチックから製造される。それは、隣接する大側面で側面ごとに適合される幾つかの（３あるいはそれ以上の）接点ブロック３０を保持するようになっている。各接点ブロック３０は、堅固なほぞ４０と、延長され略長方形状の組立面３２の両端部で（言換えればその小側面で）Ｙ方向に沿って可動のフック５０と、を有している。ソケット２０は、ブロック３０の大きな側面３８，３９と協働してほぞがソケットの開口２４内に適合することを容易にする案内側部板２８ａと、開口の幅の範囲を定めほぞの側面と協働する案内壁２８ｂと、を有している。
堅固なほぞ４０は、フック５０から離れて移動する自由端４０ａを有している。それはＳ面とハウジングの大側面とに平行な方向Ｙに沿って方向付けられている。ほぞ４０は、Ｓに略平行で、ソケット開口２４内のほぞの形状を補足する形状で形成された対応する保持肩部２３と結合して作動する接触面４１を有している。
可動フック５０は、ソケット２０内に設けられたラッチハウジング２５と協働するために、同じ方向Ｙに沿って同じ趣旨で方向付けられている。この目的のために、それは、ハウジング２５の傾斜面２６と協調して作動する自由端５０ａにおいて傾斜端５１を有する。端５１と面２６との傾きは、ゆとりのために補償を可動にする。それはまた、押ボタンによって接点ブロック３０に伝達される力の比が、フック５０によって抵抗されて正しい状態に向かってそれを押すことに役立つようになっている。従って、圧力が押ボタンに働いた時に接点ブロックが摺動することによってソケットの外側に抜出ることを防止するために、ブロック３０は少なくとも１つのピン３２ａからなる組立面３２からの突起を有しており、例えばそれは２つのピンであり、ソケットの結合面２７に設けられた少なくとも１つの凹部２７ａに適合するようになっている。明らかに、Ｙ方向に沿って摺動するという影響の下でブロックがソケットから外れることを防止するために展開された部材２７ａ，３２ａの代わりに、同様の形状を有する部材を用いることが可能である。さらに、フック５０は、結合面２７の端部２７ｂと協調して作動する傾斜領域５２を有している。このことは、フック５０が結合面２７と当接する時にらせん状バネ５３を圧縮することによって、フック５０が解放されることを可能にする。ほぞ４０とフック５０とは、組立面３２の上方に相当の高さｈだけ突出していることに留意して下さい。
フック５０（図５参照）は、平らなウェブ５４を有するＵ型金属部材の形態であり、そのフランジ部５５，５６は傾斜端５１と傾斜面５２とを有するラッチ部材を形成している。フランジ部５５および５６は、有利にはブロックの大側面３８，３９に平行あるいは略平行で、ソケットの側凹部２９ａに設けられた案内壁２９と協調して作動することに留意して下さい。ウェブ５４は、ハウジング３１の組立面３２に面して設けられたスリット６０の内側で摺動する平らな案内ロッド５４ａを通ってブロックの内側に向かって延びており、戻りバネ５３を横方向に所定位置に保持している。ハウジングは、好ましくはハウジング本体３１ａとカバー３１ｂとからなり、スリット６０はハウジング本体３１ｂ内に形成される。それは６１において横方向（Ｙ方向に垂直）に開放されており、本体３１ａにハウジングカバー３１ｂを組立てることによって閉塞され得る。
フック５０の側に位置するハウジングの小側面３７ｂは、フック５０を制御する工具への傾斜通路を与えるために、２つの壁部材６３間に配置された傾斜小面６２を有している。工具の先端は、壁部材６３によって案内され、フックウェブ５４内の開口５７と協働する。
その接続面３３では、接点ブロック３０のためのハウジングが下のブロックとの結合手段を有している。これらの手段は、第１に、ソケットの開口２４の肩部２３と同様の平らな肩部７０を有しており、第２に、ソケットハウジング２５の傾斜面２６と同様の傾斜面７２を有するラッチハウジング７１を有している。保持肩部７０と傾斜面７２とは、接続ネジ３５への接近を与える開口３４ａ内と、ハウジング３１の大側面３８，３９に設けられた凹部３８ａ，３９ａ内に形成されている。少なくとも１つの開口７３が設けられ、その中に下のブロックのピン３２ａが適合する。このように、接点ブロックは大変容易に積重ねられ、ブロックの全体の幅を維持しつつ十分な組立強度を提供する。
堅固なほぞ４０の自由端４０ａは、フック５０の反対側にあることに留意して下さい。その自由端はまた、フック５０に面するように配置され得る。しかしながら、前述の解決手段は、より小形で、ソケット内への接点ブロックのより直感的な位置決めを可能にする、という利点を有する。
【図１】
0003847347.tif 000002
【図２】
0003847347.tif 000003
【図５】
0003847347.tif 000004
【図３】
0003847347.tif 000005
【図４】
0003847347.tif 000006
【図６】
0003847347.tif 000007